(57)【要約】      （修正有）【課題】切離用線部の切離が拡大して収容袋としての機能が損なわれることが防がれるプラスチックフィルム製の収容袋を提供する。【解決手段】ポリエチレンフィルム製の収容袋Ｇの表側シート状部Ｓａと裏側シート状部Ｓｂの各開口縁Ｐにおける両端から内方の２箇所を所定箇所Ｔとする。各所定箇所Ｔに対応して４つの切離用線部Ｌをミシン目により形成する。切離用線部Ｌは、開口縁Ｐの近傍部のＡ端から袋底部Ｍに向かってのびてＢ端に達する第１部分Ｘと、Ｂ端から袋底部Ｍ側に向かった上で開口縁Ｐ側に向かってＣ端に達する袋底部Ｍ側に凸の湾曲状をなす第２部分Ｙを有する。対象物収容後、所定箇所Ｔと切離用線部Ｌの第１部分Ｘ全部にわたり切離させて切離部を形成することにより、切離部同士の間に４つの突片状部（結び紐状部）を形成される。【選択図】図１
0003235208.tif 000002
【実用新案登録請求の範囲】
【請求項１】
プラスチックフィルム製の袋であって、
開口縁における間隔おきの４つの所定箇所のそれぞれについて、所定箇所の開口縁又はその袋底部側の近傍部に位置するＡ端から、袋底部に向かってのびてＢ端に達する第１部分と、前記Ｂ端から袋底部側に向かった上で開口縁側に向かってＣ端に達する、袋底部側に凸の湾曲状をなす部分を含む第２部分を有する切離用線部を有し、
前記袋を構成するプラスチックフィルムを、前記開口縁における前記４つの所定箇所のそれぞれと、その所定箇所に対応する前記切離用線部のうち、少なくともＡ端からＢ端までの第１部分全部又は第１部分のうちＡ端からＡ端とＢ端の間の位置までの部分を切離させて４つの切離部を形成することにより、それらの切離部同士の間に形成される４つの突片状部のうち隣り合わないもの同士を結び合わせることができるものであることを特徴とする収容袋。
【請求項２】
袋の深さ方向において、Ｃ端が、Ｂ端の位置と同等位置又はＢ端の位置よりも開口縁側に位置する請求項１記載の収容袋。
【請求項３】
所定箇所同士の間隔が等間隔である請求項１又は２記載の収容袋。
【請求項４】
上記４つの切離用線部が互いに実質上同一又は左右対称状である請求項１乃至３の何れか１項に記載の収容袋。
【請求項５】
表側シート状部と裏側シート状部が、幅方向の両側及び底部において接合又は連続して上記袋を構成し、
前記表側シート状部及び裏側シート状部には、それぞれ、開口縁に間隔おきに２つの所定箇所を有し、それらの所定箇所に対応する２つの切離用線部を有する請求項１乃至４の何れか１項に記載の収容袋。
【請求項６】
上記表側シート状部と裏側シート状部が重なり合った状態において、表側シート状部の２つの切離用線部と裏側シート状部の２つの切離用線部が重なり合う請求項５記載の収容袋。
【請求項７】
上記表側シート状部と裏側シート状部が実質上同一である請求項５又は６記載の収容袋。
【請求項８】
上記袋の幅方向の両側縁は、プラスチックフィルムチューブにおける幅方向両側の折り畳み線であり、その幅方向両側縁の折り畳み線を介して、上記表側シート状部と裏側シート状部が連続している請求項５乃至７の何れか１項に記載の収容袋。
【請求項９】
上記第２部分は、プラスチックフィルムが裂ける起点となる角状の折れ曲がり部を含まない請求項１乃至８の何れか１項に記載の収容袋。
【請求項１０】
切離用線部がミシン目である請求項１乃至９の何れか１項に記載の収容袋。
【考案の詳細な説明】
【技術分野】
【０００１】
本考案は、結び合わせるための突片状部を形成するための切離用線部を有するプラスチックフィルム製の収容袋に関する。
【背景技術】
【０００２】
登録実用新案第３０２９８２９号公報には、ポリエチレン等の合成樹脂で筒状に形成され、底部２は閉塞され、上部には開口部３が設けられている袋体１が示されている。
【０００３】
袋体１には、開口部３の中心より、左右が対象で終結部が内向きに湾曲した切り離し可能なミシン目４が形成されている。ミシン目４を切り離すことにより、袋体１の開口部３に、中央部結び片６と両端部結び片５が形成される。
【０００４】
ミシン目４の終結部が内向きに湾曲しているのは、袋体１を構成する合成樹脂製のシートが縦方向に裂けることを防止するためである。
【先行技術文献】
【特許文献】
【０００５】
【特許文献１】登録実用新案第３０２９８２９号公報
【考案の概要】
【考案が解決しようとする課題】
【０００６】
本考案は、切離用線部の切離が拡大して収容袋としての機能が損なわれることが防がれるプラスチックフィルム製の収容袋を提供することを目的とする。
【課題を解決するための手段】
【０００７】
本考案は、例えば次のように表すことができる。
【０００８】
(1) プラスチックフィルム製の袋であって、
開口縁における間隔おきの４つの所定箇所のそれぞれについて、所定箇所の開口縁又はその袋底部側の近傍部に位置するＡ端から、袋底部に向かってのびてＢ端に達する第１部分と、前記Ｂ端から袋底部側に向かった上で開口縁側に向かってＣ端に達する、袋底部側に凸の湾曲状をなす部分を含む第２部分を有する切離用線部を有し、
前記袋を構成するプラスチックフィルムを、前記開口縁における前記４つの所定箇所のそれぞれと、その所定箇所に対応する前記切離用線部のうち、少なくともＡ端からＢ端までの第１部分全部又は第１部分のうちＡ端からＡ端とＢ端の間の位置までの部分を切離させて４つの切離部を形成することにより、それらの切離部同士の間に形成される４つの突片状部のうち隣り合わないもの同士を結び合わせることができるものであることを特徴とする収容袋。
【０００９】
(2) 袋の深さ方向において、Ｃ端が、Ｂ端の位置と同等位置又はＢ端の位置よりも開口縁側に位置する上記(1)記載の収容袋。
【００１０】
(3) 所定箇所同士の間隔が等間隔である上記(1)又は(2)記載の収容袋。
【００１１】
(4) 上記４つの切離用線部が互いに実質上同一又は左右対称状である上記(1)乃至(3)の何れか１項に記載の収容袋。
【００１２】
(5) 表側シート状部と裏側シート状部が、幅方向の両側及び底部において接合又は連続して上記袋を構成し、
前記表側シート状部及び裏側シート状部には、それぞれ、開口縁に間隔おきに２つの所定箇所を有し、それらの所定箇所に対応する２つの切離用線部を有する上記(1)乃至(4)の何れか１項に記載の収容袋。
【００１３】
(6) 上記表側シート状部と裏側シート状部が重なり合った状態において、表側シート状部の２つの切離用線部と裏側シート状部の２つの切離用線部が重なり合う上記(5)記載の収容袋。
【００１４】
(7) 上記表側シート状部と裏側シート状部が実質上同一である上記(5)又は(6)記載の収容袋。
【００１５】
(8) 上記袋の幅方向の両側縁は、プラスチックフィルムチューブにおける幅方向両側の折り畳み線であり、その幅方向両側縁の折り畳み線を介して、上記表側シート状部と裏側シート状部が連続している上記(5)乃至(7)の何れか１項に記載の収容袋。
【００１６】
(9) 上記第２部分は、プラスチックフィルムが裂ける起点となる角状の折れ曲がり部を含まない上記(1)乃至(8)の何れか１項に記載の収容袋。
【００１７】
(10) 切離用線部がミシン目である上記(1)乃至(9)の何れか１項に記載の収容袋。
【考案の効果】
【００１８】
本考案のプラスチックフィルム製の収容袋は、切離用線部の切離が拡大して収容袋としての機能が損なわれることが効果的に防がれる。
【図面の簡単な説明】
【００１９】
【図１】やや開口した状態の正面やや上方からの模式的な斜視図である。
【図２】やや開口した状態の背面やや下方からの模式的な斜視図である。
【図３】図１において４つの切離用線部の第１部分全部を切離させて切離部とした状態の模式的な斜視図である。
【図４】図１において４つの切離用線部の第１部分全部及び第２部分全部を切離させて切離部とした状態の模式的な斜視図である。
【図５】正面下方からの上部斜視図である。
【図６】図５において４つの切離用線部の第１部分全部を切離させて切離部とした状態の正面下方からの上部斜視図である。
【図７】図６において廃棄物を収容した上で向かい合う突片状部同士を結び合わせた状態の正面図である。
【考案を実施するための形態】
【００２０】
[1] 本考案の実施の形態の例としての収容袋について、図面を参照しつつ説明する。
【００２１】
この収容袋Ｇは、所要の印刷が施されたポリエチレンフィルム製の袋である。
【００２２】
(1) 収容袋Ｇは、ポリエチレンフィルムチューブが幅方向両側において折り畳まれて重なった一定幅をなすチューブロールに、一定長毎にヒートシール及び切断を実質上同時に施して連続的に得られた、一定幅（６５０ｍｍ）及び長さ（９００ｍｍ）の袋である。
【００２３】
収容袋Ｇを構成する表側シート状部Ｓａと裏側シート状部Ｓｂは、実質上同一である。
【００２４】
図１及び図２において、収容袋Ｇの左右方向（幅方向）の両側縁は、ポリエチレンフィルムチューブロールにおける幅方向両側の折り畳み線Ｆであり、その幅方向両側縁の折り畳み線Ｆを介して、表側シート状部Ｓａと裏側シート状部Ｓｂが連続している。図５に示される収容袋Ｇも同様である。
【００２５】
また図１及び図２に示される収容袋Ｇにおいて、表側シート状部Ｓａと裏側シート状部Ｓｂの下端部はヒートシールにより接合封止され、表側シート状部Ｓａと裏側シート状部Ｓｂの上端は、それぞれ、収容袋Ｇの開口縁Ｐの２分の１ずつを構成している。図５に示される収容袋Ｇも同様である。
【００２６】
(2) 切離用線部
【００２７】
(2-1) 収容袋Ｇの表側シート状部Ｓａと裏側シート状部Ｓｂの各開口縁Ｐに、その各開口縁Ｐにおける両端から、各開口縁Ｐを４等分した長さＷずつ内方のそれぞれ２箇所（合計４箇所）を所定箇所Ｔとして有する。
【００２８】
４つの所定箇所Ｔは、全開口縁Ｐを４等分した長さ（２Ｗ）おきに位置し、各所定箇所Ｔに対応して４つの切離用線部Ｌを、袋を構成するプラスチックフィルムに設けたミシン目により形成する。
【００２９】
すなわち、ヒートシール及び切断により連続的に得られる袋について、その工程中にヒートシール及び切断と実質上同時に、折り畳まれて重なった表側シート状部Ｓａと裏側シート状部Ｓｂの両シート状部に対し一体的に、２箇所において切離用線部Ｌを設けることにより、両シート状部のそれぞれに２箇所ずつ、合計４箇所のミシン目からなる切離用線部Ｌを、ミシン目用金型を用いて設ける。
【００３０】
(2-2) 各切離用線部Ｌは、対応する所定箇所Ｔの開口縁Ｐの袋底部Ｍ側の近傍部に位置するＡ端から、袋底部Ｍに向かってのびてＢ端に達する第１部分Ｘと、前記Ｂ端から袋底部Ｍ側に向かった上で開口縁Ｐ側に向かってＣ端に達する、袋底部Ｍ側に凸の湾曲状をなす部分である第２部分Ｙを有する。
【００３１】
(2-3) 切離用線部Ｌは、収容袋Ｇに対する対象物の収容を終えた後、袋を構成するプラスチックフィルムを、図３及び図４に示すように、開口縁Ｐにおける４つの所定箇所Ｔのそれぞれと、対応する切離用線部Ｌのうち、Ａ端からＢ端までの第１部分Ｘ全部及び第２部分Ｙの全部にわたり切離させることにより、一端が所定箇所Ｔの開口縁Ｐの４つの所定箇所Ｔに開口する４つの切離部Ｅを形成する。なお、図６に示す例では、所定箇所Ｔの開口縁Ｐと、対応する切離用線部Ｌの第１部分Ｘ全部にわたり切離させて切離部Ｅを形成している。
【００３２】
これにより、それらの切離部Ｅ同士の間に形成される、袋底部Ｍ側を基部として開口縁Ｐ側を端部とする４つの突片状部Ｄ１、Ｄ２、Ｄ３及びＤ４（結び紐状部）のうち向かい合うもの同士（隣り合わないもの同士）であるＤ１とＤ３、及び、Ｄ２とＤ４をそれぞれ結び合わせて、収容袋Ｇ開口部を、可能な限り密封状に閉塞し、収容物や液状又は固体状若しくは粉体状の付着物や付属物等が外部へ離脱してしまうことや漏出すること等を防ぐことができる。
【００３３】
(2-4) 所定箇所Ｔの開口縁Ｐと、対応する切離用線部ＬにおけるＡ端からＢ端までの第１部分Ｘは、袋の深さ方向（図１、図２及び図５における上下方向）の同一の直線上にある。
【００３４】
(2-5) ４つの切離用線部Ｌのうち、表側シート状部Ｓａにおける２つの切離用線部Ｌの第２部分Ｙは、正面から見て、Ｂ端から互いに内側に湾曲し、裏側シート状部Ｓｂにおける２つの切離用線部Ｌの第２部分Ｙは、背面から見て、Ｂ端から互いに内側に湾曲する。
【００３５】
何れの切離用線部Ｌにおいても、Ｃ端とＢ端は、袋の深さ方向において同等の位置に位置する。
【００３６】
表側シート状部Ｓａと裏側シート状部Ｓｂが重なり合った状態において、表側シート状部Ｓａにおける２つの切離用線部Ｌと裏側シート状部Ｓｂにおける２つの切離用線部Ｌはそれぞれ重なり合い、各シート状部における２つの切離用線部Ｌは互いに左右対称状をなす。
【００３７】
(2-6) 各切離用線部Ｌにおける、袋底部Ｍ側に凸の湾曲状をなす第２部分Ｙの袋底部Ｍ側の頂点Ｙ１と、対応する所定箇所Ｔの開口縁Ｐとの、袋の深さ方向の距離は、開口縁Ｐと袋底部Ｍの間の長さの約６分の１である。
【００３８】
図１及び図２において、所定箇所Ｔの開口縁Ｐから対応する切離用線部ＬのＡ端までの、袋底部Ｍに向かう方向の距離は、開口縁Ｐと袋底部Ｍの間の長さの約３０分の１である。
【００３９】
図１及び図２において、結び紐状部として用いられる突片状部Ｄの、袋の深さ方向の長さは、約１５０ｍｍである。
【００４０】
(3) 収容袋Ｇに収容する対象物は、医療廃棄物であり、収容袋Ｇの表側シート状部Ｓａの正面には、中央部にバイオハザードマークが印刷され、その下に、日付、時間、場所、感染症名をそれぞれ記入する欄を有する記入枠が印刷されて表示されている。なお、記載事項はこれらに限るものではない。
【００４１】
[2] 本考案の実施の形態を、上記以外の形態を含めて更に説明する。
【００４２】
本考案の収容袋は、プラスチックフィルム製の袋である。全部がプラスチックフィルムであるものの他、プラスチックフィルム以外に、例えば、印刷インキ乾燥膜や任意の材料からなる貼着若しくはその他の手段による付加物等を含むものであってもよい。
【００４３】
(1) 袋の材料（素材）の例としては、ポリエチレンフィルム、ポリプロピレンフィルム、エチレンプロピレン共重合体フィルム等を挙げることができるが、これらに限るものではない。
【００４４】
好ましくは、プラスチックフィルムチューブ（例えばポリエチレンフィルムチューブ）が幅方向両側において折り畳まれて重なった一定幅をなすもの（好ましくはチューブロール）である。
【００４５】
(2) 切離用線部
【００４６】
(2-1) 本考案のプラスチックフィルム製の収容袋は、開口縁における間隔おき（開口縁に沿った間隔おき）の４つの所定箇所にそれぞれ対応する４つの切離用線部を有する。
【００４７】
所定箇所同士の間隔は、好ましくは等間隔、又は、ほぼ等間隔であるが、必ずしもこれに限らない。例えば、本考案の収容袋の全開口縁を（好ましくは均等状に）２分した一方の開口縁と他方の開口縁のそれぞれにおける、両端よりも内方の箇所であって互いに間隔を有する２箇所（両開口縁に２箇所ずつで合計４箇所）を間隔おきの４つの所定箇所とすることができ、両開口縁が全開口縁を均等状に２分したものである場合、各開口縁を４等分した長さずつ両端よりも内方の箇所を所定箇所とすれば、全開口縁を４等分した長さの間隔おきの４箇所がそれぞれ所定箇所となる。
【００４８】
(2-2) 各切離用線部は、対応する所定箇所の開口縁又はその袋底部側の近傍部に位置するＡ端から、袋底部に向かってのびてＢ端に達する第１部分と、前記Ｂ端から袋底部側に向かった上で開口縁側に向かってＣ端に達する、袋底部側に凸の湾曲状（例えば半円弧状等の円弧状、楕円弧状、放物線状、正弦波状又はその他の曲線状若しくはほぼ曲線状）をなす部分を含む第２部分を有する。
【００４９】
第２部分は、袋底部側に凸の湾曲状をなす部分のみであってもよく、それ以外の部分をふくんでもよい。後者の場合、例えば、袋底部側に凸の湾曲状をなす部分とＢ端の間が袋底部側に向かう直線状部であるもの、又は、袋底部側に凸の湾曲状をなす部分とＣ端の間が開口縁側に向かう直線状部であるもの、或いは、袋底部側に凸の湾曲状をなす部分とＢ端の間が袋底部側に向かう直線状部であり、且つ、袋底部側に凸の湾曲状をなす部分とＣ端の間が開口縁側に向かう直線状部であるものとすることもできる。
【００５０】
また第２部分は、プラスチックフィルムが裂ける起点となる角状の折れ曲がり部（特に、例えば４５度若しくは６０度を超える角度［一例として９０度］の角状の折れ曲がり部）を含まないことが望ましい。
【００５１】
(2-3) 切離用線部は、収容袋に対する対象物の収容を終えた後、袋を構成するプラスチックフィルムを、前記開口縁における前記４つの所定箇所のそれぞれと、対応する前記切離用線部のうち、少なくともＡ端からＢ端までの第１部分全部又は第１部分のうちＡ端からＡ端とＢ端の間の位置までの部分（或いは例えば、Ａ端からＢ端までの第１部分全部及びＢ端からＣ端までの第２部分全部、又は、Ａ端からＢ端までの第１部分全部及び第２部分のうちＢ端からＢ端とＣ端の間の位置までの部分）を切離させて、一端が所定箇所の開口縁の４つの所定箇所に開口する４つの切離部を形成するものである。
【００５２】
これにより、それらの切離部同士の間に形成される、袋底部側を基部として開口縁側を端部とする４つの突片状部（結び紐状部）のうち隣り合わないもの同士（好ましくは向かい合うもの同士）を結び合わせて、収容袋開口部を、好ましくは可能な限り密封状に閉塞し、収容物や液状又は固体状若しくは粉体状の付着物や付属物等が外部へ離脱してしまうことや漏出すること等を防ぐものである。
【００５３】
切離用線部は、袋を構成するプラスチックフィルムに、ミシン目（断続スリット）等の、対象物の収容を終えた後に、作業者が手で切離部を形成し易くするためのものである。
【００５４】
(2-4) 第２部分は、Ｂ端から袋底部側に向かった上で開口縁側に向かってＣ端に達する、袋底部側に凸の湾曲状をなす部分を含むので、例えばＢ端付近から、袋底部に向かう方向に切離用線部の切離が拡大してしまう不都合が防がれる上に、Ｃ端で切離用線部の切離が拡大するとしてもほぼ開口縁側に向かうものとなるため、切離用線部の切離が意図せずに拡大したとしても収容袋としての機能が損なわれることが効果的に防がれる。
【００５５】
また、切離用線部のＡ端が、対応する所定箇所の開口縁に位置するのではなく、その開口縁の袋底部側の近傍部に位置する場合、収容袋に対する対象物の収容を終えるまでの間に、切離用線部が意図せずに切離する不都合を防ぐ上で効果がある。
【００５６】
(2-5) 各切離用線部におけるＡ端からＢ端までの第１部分は、直線状であるものとすることが好ましいが、必ずしもこれに限るものではない。
【００５７】
また、所定箇所の開口縁と、対応する切離用線部におけるＡ端からＢ端までの第１部分は、同一又はほぼ同一の直線上にあるものとすることが好ましいが、必ずしもこれに限るものではない。
【００５８】
(2-6) 第２部分は、袋底部側に凸の湾曲状をなす部分を含む。袋底部側に凸の湾曲状をなす部分は、Ｂ端側から左右何れかへ湾曲しつつ、袋底部側に向かった上で開口縁側に向かう。
【００５９】
袋底部側に凸の湾曲状をなす部分については、例えば、４つの切離用線部のうち、何れか隣り合う２つの切離用線部の第２部分及び他の隣り合う２つの切離用線部の第２部分は、何れもＢ端から互いに内側に湾曲するものとすることができる他、互い外側に湾曲するものとすることや、同じ向きに湾曲するものとすることもできる。
【００６０】
(2-7) 第２部分における、袋の深さ方向において、Ｃ端の位置は、Ｂ端の位置と同等とすることができる他、例えば、袋底部側に凸の湾曲状をなす袋底部側の頂点とＢ端の位置との間（例えば中間位置又はそれよりもＢ端側の位置）、又は、Ｂ端とＡ端の位置の間（例えば中間位置又はそれよりもＢ端側の位置）とすることもできる。
【００６１】
Ｃ端で切離用線部の切離が拡大するとしてもほぼ開口縁側に向かうものとすることにより、切離用線部の切離が意図せずに拡大したとしても収容袋としての機能が損なわれることを効果的に防ぐ上で、Ｃ端は、袋の深さ方向において、Ｂ端の位置と同等位置又はＢ端の位置よりも開口縁側に位置するものとすることが好ましい。
【００６２】
(2-8) 各切離用線部における、第２部分の袋底部側に凸の湾曲状をなす部分の袋底部側の頂点と、対応する所定箇所の開口縁との、袋の深さ方向の距離は、開口縁と袋底部の間の長さの例えば８分の１乃至４分の１とすることができ、好ましくは７分の１乃至５分の１とすることができるが、これに限るものではない。
【００６３】
所定箇所に対応する切離用線部のＡ端が、その所定箇所の開口縁の袋底部側の近傍部に位置する場合、袋の深さ方向において所定箇所の開口縁からＡ端までの距離は、開口縁と袋底部の間の長さの例えば１００分の１乃至２０分の１とすることができるが、これに限るものではない。
【００６４】
結び紐状部として用いられる突片状部の、袋の深さ方向の長さは、袋の開口部の大きさや袋の深さに応じて、結び合わせを行う上で十分に長く、十分な量を収容し得る上で長すぎない範囲として、例えば７乃至２５ｃｍとすることができるが、これに限るものではない。
【００６５】
(2-9) なお、前記４つの切離用線部に加えて、１又は２以上（例えば偶数）の切離用線部を有する（すなわち総数として５又は６以上の切離用線部を有する）ものとすることもできる。
【００６６】
(3) 収容袋に収容する対象物の例としては、医療廃棄物若しくはその他の廃棄物又は非廃棄物を挙げることができるが、これらに限るものではない。
【００６７】
収容袋には、収容対象を示す図形や文字等（例えば医療廃棄物の場合はバイオハザードマーク）並びに所要事項記入用箇所等を、必要に応じ印刷や印刷物の貼着等により表示することができる。
【００６８】
(4) 袋の製法
【００６９】
(4-1) 本考案の収容袋の製法として好ましい態様の例としては、
プラスチックフィルムチューブ（例えばポリエチレンフィルムチューブ）が幅方向両側において折り畳まれて重なった一定幅をなすもの（好ましくはチューブロール）に対し、一定長毎にヒートシール及び切断を施して一定幅及び長さの袋を連続的に得るものであって、
前記ヒートシール及び切断により連続的に得られる袋について、その工程中に又はその工程と連続する前の工程若しくは後の工程において、折り畳まれて重なった一方（例えば表側）のシート状部と他方（例えば裏側）のシート状部の両シート状部に対し一体的に、２箇所において切離用線部を設けることにより、両シート状部のそれぞれに２箇所ずつ、合計４箇所の切離用線部を設けるものを挙げることができる。
【００７０】
切離用線部は、例えば、折り畳まれて重なった両シート状部に対しミシン目等を設けるための金型、ロール金型、スリッター等を用いて設けることができるが、切離用線部を設ける手段は、これらに限るものではない。
【００７１】
前記ヒートシール及び切断は、同時に又は異なる時期に行うものとすることができる。
【００７２】
前記ヒートシール及び切断が同時に行われる場合、切離用線部は、例えば、そのヒートシール及び切断と同時に、又は、前若しくは後に設けるものとすることができる。前記ヒートシール及び切断が異なる時期に行われる場合、切離用線部は、例えば、そのヒートシール及び切断の一方と同時に、又は、ヒートシール及び切断の両方より前、両者の間、若しくは両方より後に設けるものとすることができる。
【００７３】
(4-2) 本考案の収容袋の製法の他の例としては、前記のようなヒートシール及び切断により、又は他の手段により、予め製造された袋であって、一方（例えば表側）のシート状部と他方（例えば裏側）のシート状部が重なった状態で形成された袋の両シート状部に対し、前記と同様に、一体的に、２箇所において切離用線部を設けることにより、両シート状部のそれぞれに２箇所ずつ、合計４箇所の切離用線部を設けるものを挙げることができる。
【００７４】
本考案の収容袋の製法のその他の例として、一方（例えば表側）のシート状部と他方（例えば裏側）のシート状部が重なった状態で形成された袋の一方のシート状部に対し２箇所において切離用線部を設け、別途他方のシート状部に対しても（例えば表裏の）対応する位置に又は対応しない位置に２箇所において切離用線部を設けることにより、両シート状部のそれぞれに２箇所ずつ、合計４箇所の切離用線部を設けるものを挙げることができる。或いは、袋に形成される前の一方のシート状部及び他方のシート状部に対して同様に対応する位置又は対応しない位置に２箇所において切離用線部を設けた後、袋を形成するものを挙げることができる。
【００７５】
(4-3) 但し、本考案の収容袋は、前記以外の方法により製造することも可能であり、本考案の収容袋は、これらの方法により製造されたものに限るものではない。
【符号の説明】
【００７６】
Ｄ１    突片状部
Ｄ２    突片状部
Ｄ３    突片状部
Ｄ４    突片状部
Ｅ      切離部
Ｆ      折り畳み線
Ｇ      収容袋
Ｌ      切離用線部
Ｍ      袋底部
Ｐ      開口縁
Ｓａ    表側シート状部
Ｓｂ    裏側シート状部
Ｔ      所定箇所
Ｗ      長さ
Ｘ      第１部分
Ｙ      第２部分
Ｙ１    頂点
【図１】
0003235208.tif 000003
【図２】
0003235208.tif 000004
【図３】
0003235208.tif 000005
【図４】
0003235208.tif 000006
【図５】
0003235208.tif 000007
【図６】
0003235208.tif 000008
【図７】
0003235208.tif 000009